(57)【要約】【課題】  演出効果が高いスライドショーを確実に実現できる新規な画像表示システム及び画像表示プログラム並びに画像表示方法の提供。【解決手段】複数の画像をテンプレートシナリオに従って同一の表示面上に同時に表示しながら移動させるに際し、前記画像を前記シナリオに沿って移動させたときに当該画像同士が重なり合うときがあるか否かを判断し、あると判断したときには、当該画像が重なり合わないように前記画像の再生経路を変更してその再生経路を前記シナリオに反映させてから、当該シナリオに沿って前記画像を表示させる。これによって、画像同士が重なって一方の画像が隠れてしまうことがなくなるため、演出効果が高いスライドショーを確実に実現できる。【選択図】        図１
2005274887.tif 000002
【特許請求の範囲】
【請求項１】
複数の画像を所定のテンプレートシナリオに従って同一の表示面上に同時に表示しながら移動させるようにした画像表示システムであって、
前記画像を前記テンプレートシナリオに沿って移動させたときに当該画像同士が重なり合うときがあるか否かを判断する画像重複判断手段と、
当該画像重複判断手段で前記画像同士が重なり合うときがあると判断したときに、当該画像が重なり合わないように画像の再生位置の経路を変更する再生経路変更手段と、
当該再生経路変更手段で変更された画像の再生経路を前記テンプレートシナリオに反映させた新たなテンプレートシナリオを生成するテンプレートシナリオ生成手段と、
当該テンプレートシナリオ生成手段で生成された新たなテンプレートシナリオに沿って前記画像を表示させる画像表示手段と、を備えたことを特徴とする画像表示システム。
【請求項２】
複数の画像を所定のテンプレートシナリオに従って同一の表示面上に同時に表示しながら移動させるようにした画像表示システムであって、
前記画像を前記テンプレートシナリオに沿って移動させたときに当該画像同士が重なり合うときがあるか否かを判断する画像重複判断手段と、
当該画像重複判断手段で前記画像同士が重なり合うときがあると判断したときに、当該画像のうち上側に重なり合う画像に対して透明処理を施す画像効果生成手段と、
当該画像効果生成手段による画像の透明処理を前記テンプレートシナリオに反映させた新たなテンプレートシナリオを生成するテンプレートシナリオ生成手段と、
当該テンプレートシナリオ生成手段で生成された新たなテンプレートシナリオに沿って前記画像を表示させる画像表示手段と、を備えたことを特徴とする画像表示システム。
【請求項３】
複数の画像を所定のテンプレートシナリオに従って同一の表示面上に同時に表示しながら移動させるようにした画像表示システムであって、
前記各画像中の特定領域を抽出する特定領域抽出手段と、
前記画像を前記テンプレートシナリオに沿って移動させたときに当該画像同士が重なり合うときがあるか否かを判断する画像重複判断手段と、
当該画像重複判断手段で前記画像同士が重なり合うときがあると判断したときに、前記特定領域抽出手段で抽出された当該画像の特定領域が重なり合うときがあるか否かを判断する特定領域重複判断手段と、
当該特定領域重複判断手段で当該画像の特定領域が重なり合うときがあると判断したときに、当該画像の注目領域が重複しないように画像の再生経路を変更する再生経路変更手段と、
当該再生経路変更手段で変更された画像の再生経路を前記テンプレートシナリオに反映させた新たなテンプレートシナリオを生成するテンプレートシナリオ生成手段と、
当該テンプレートシナリオ生成手段で生成された新たなテンプレートシナリオに沿って前記画像を表示させる画像表示手段と、を備えたことを特徴とする画像表示システム。
【請求項４】
複数の画像を所定のテンプレートシナリオに従って同一の表示面上に同時に表示しながら移動させるようにした画像表示システムであって、
前記各画像中の特定領域を抽出する特定領域抽出手段と、
前記画像を前記テンプレートシナリオに沿って移動させたときに当該画像同士が重なり合うときがあるか否かを判断する画像重複判断手段と、
当該画像重複判断手段で前記画像同士が重なり合うときがあると判断したときに、前記特定領域抽出手段で抽出された当該画像の特定領域が重なり合うときがあるか否かを判断する特定領域重複判断手段と、
当該特定領域重複判断手段で前記特定領域が重なり合うときがあると判断したときに、当該画像のうち上側に重なり合う画像に対して透明処理を施す画像効果生成手段と、
当該画像効果生成手段による画像の透明処理を前記テンプレートシナリオに反映させた新たなテンプレートシナリオを生成するテンプレートシナリオ生成手段と、
当該テンプレートシナリオ生成手段で生成された新たなテンプレートシナリオに沿って前記画像を表示させる画像表示手段と、を備えたことを特徴とする画像表示システム。
【請求項５】
複数の画像を所定のテンプレートシナリオに従って同一の表示面上に同時に表示しながら移動させるようにした画像表示システムであって、
前記各画像中の特定領域を抽出する特定領域抽出手段と、
前記画像を前記テンプレートシナリオに沿って移動させたときに当該画像同士が重なり合うときがあるか否かを判断する画像重複判断手段と、
当該画像重複判断手段で前記画像同士が重なり合うときがあると判断したときに、前記特定領域抽出手段で抽出された当該画像の特定領域が重なり合うときがあるか否かを判断する特定領域重複判断手段と、
当該特定領域重複判断手段で前記特定領域が重なり合うときがあると判断したときに、当該画像の一方あるいは両方のサイズを小さくする画像サイズ調整手段と、
当該画像サイズ調整手段による画像サイズ調整処理を前記テンプレートシナリオに反映させた新たなテンプレートシナリオを生成するテンプレートシナリオ生成手段と、
当該テンプレートシナリオ生成手段で生成された新たなテンプレートシナリオに沿って前記画像を表示させる画像表示手段と、を備えたことを特徴とする画像表示システム。
【請求項６】
請求項３〜５のいずれか１項に記載の画像表示システムにおいて、
前記特定領域抽出手段によって抽出される前記画像中の特定領域は、当該画像の物理的特徴から算出される誘目度に基づいて抽出される注目領域であることを特徴とする画像表示システム。
【請求項７】
請求項３〜５のいずれか１項に記載の画像表示システムにおいて、
前記特定領域抽出手段によって抽出される前記画像中の特定領域は、予め各画像毎に決定された重要領域であることを特徴とする画像表示システム。
【請求項８】
請求項３〜５のいずれか１項に記載の画像表示システムにおいて、
前記特定領域抽出手段によって抽出される前記画像中の特定領域は、当該画像中に含まれる顔画像領域であることを特徴とする画像表示システム。
【請求項９】
複数の画像を所定のテンプレートシナリオに従って同一の表示面上に同時に表示しながら移動させるようにした画像表示プログラムであって、
前記各画像中の特定領域を抽出する特定領域抽出手段と、
前記画像を前記テンプレートシナリオに沿って移動させたときに当該画像同士が重なり合うときがあるか否かを判断する画像重複判断手段と、
当該画像重複判断手段で前記画像同士が重なり合うときがあると判断したときに、前記特定領域抽出手段で抽出された当該画像の特定領域が重なり合うときがあるか否かを判断する特定領域重複判断手段と、
当該特定領域重複判断手段で当該画像の特定領域が重なり合うときがあると判断したときに、当該画像の注目領域が重なり合わないように画像の再生経路を変更する再生経路変更手段と、
当該再生経路変更手段で変更された画像の再生経路を前記テンプレートシナリオに反映させた新たなテンプレートシナリオを生成するテンプレートシナリオ生成手段と、
当該テンプレートシナリオ生成手段で生成された新たなテンプレートシナリオに沿って前記画像を表示させる画像表示手段と、をコンピュータに機能させることを特徴とする画像表示プログラム。
【請求項１０】
複数の画像を所定のテンプレートシナリオに従って同一の表示面上に同時に表示しながら移動させるようにした画像表示プログラムであって、
前記各画像中の特定領域を抽出する特定領域抽出手段と、
前記画像を前記テンプレートシナリオに沿って移動させたときに当該画像同士が重なり合うときがあるか否かを判断する画像重複判断手段と、
当該画像重複判断手段で前記画像同士が重なり合うときがあると判断したときに、前記特定領域抽出手段で抽出された当該画像の特定領域が重なり合うときがあるか否かを判断する特定領域重複判断手段と、
当該特定領域重複判断手段で前記画像同士が重なり合うときがあると判断したときに、当該画像のうち上側に重なり合う画像に対して透明処理を施す画像効果生成手段と、
当該画像効果生成手段による画像の透明処理を前記テンプレートシナリオに反映させた新たなテンプレートシナリオを生成するテンプレートシナリオ生成手段と、
当該テンプレートシナリオ生成手段で生成された新たなテンプレートシナリオに沿って前記画像を表示させる画像表示手段と、をコンピュータに機能させることを特徴とする画像表示プログラム。
【請求項１１】
複数の画像を所定のテンプレートシナリオに従って同一の表示面上に同時に表示しながら移動させるようにした画像表示方法であって、
前記画像を前記テンプレートシナリオに沿って移動させたときに当該画像同士が重なり合うときがあるか否かを判断し、前記画像同士が重なり合うときがあると判断したときには、当該画像が重なり合わないように前記画像の再生経路を変更してその再生経路を前記テンプレートシナリオに反映させてから、当該テンプレートシナリオに沿って前記画像を表示させるようにしたことを特徴とする画像表示方法。
【請求項１２】
複数の画像を所定のテンプレートシナリオに従って同一の表示面上に同時に表示しながら移動させるようにした画像表示方法であって、
前記画像を前記テンプレートシナリオに沿って移動させたときに当該画像同士が重なり合うときがあるか否かを判断し、前記画像同士が重なり合うときがあると判断したときには、当該画像のうち上側に重なり合う画像に対して透明化する処理を前記テンプレートシナリオに反映させてから、当該テンプレートシナリオに沿って前記画像を表示させるようにしたことを特徴とする画像表示方法。
【請求項１３】
複数の画像を所定のテンプレートシナリオに従って同一の表示面上に同時に表示しながら移動させるようにした画像表示方法であって、
予め前記各画像中の特定領域を抽出しておき、前記画像を前記テンプレートシナリオに沿って移動させたときに当該画像の前記特定領域が重なり合うときがあるか否かを判断し、前記特定領域が重なり合うときがあると判断したときには、当該特定領域が重なり合わないように画像の再生経路を変更してその再生経路を前記テンプレートシナリオに反映させてから、当該テンプレートシナリオに沿って前記画像を表示させるようにしたことを特徴とする画像表示方法。
【請求項１４】
複数の画像を所定のテンプレートシナリオに従って同一の表示面上に同時に表示しながら移動させるようにした画像表示方法であって、
予め前記各画像中の特定領域を抽出しておき、前記画像を前記テンプレートシナリオに沿って移動させたときに当該画像の前記特定領域が重なり合うときがあるか否かを判断し、前記特定領域が重なり合うときがあると判断したときには、当該画像のうち上側に重なり合う画像に対して透明化する処理を前記テンプレートシナリオに反映させてから、当該テンプレートシナリオに沿って前記画像を表示させるようにしたことを特徴とする画像表示方法。
【発明の詳細な説明】
【技術分野】
【０００１】
本発明は、複数の画像を所定のシナリオや演出に従ってモニタ上に表示するようにした、いわゆるスライドショーを実現するための画像表示システム及び画像表示プログラム並びに画像表示方法に関するものである。
【背景技術】
【０００２】
デジタルスチルカメラで撮影した複数の画像等を個人的に、あるいは大勢で楽しむ方法として、いわゆる「スライドショー」を利用する方法が知られている。
この「スライドショー」とは、特に確立された定義はないが、一般的には、所定のテンプレートシナリオに従って所定の画像を次々と選択し、これを所定の演出と共に自動的にモニタ上に表示するようにしたソフトウェアを利用したものであり、デジタルスチルカメラ等で撮影した画像を印刷用紙上にプリントアウトすることなく、ＣＲＴや液晶モニタ上で楽しめるようにしたものである。
【０００３】
このようなスライドショーに関する技術として、例えば、以下の特許文献１等では、複数のシーンそれぞれを定義するシナリオデータと、複数のシーンの順序との入力を受け付けるステップと、定義された複数のシーンそれぞれに対応する画像を記憶された複数の画像の中から抽出するステップと、抽出された画像を定義されたシーンの順序に従って出力するステップとによって、複数の画像を所定のシナリオに従って順に出力するようにしている。
【特許文献１】特開２００２−１８５９０８号公報
【発明の開示】
【発明が解決しようとする課題】
【０００４】
ところで、本発明者らは、前記のような「スライドショー」を実現するテンプレートシナリオの一つとして、所定のルールに従って選択された複数の画像を一つの表示面上に同時に表示すると共に、これら各画像をその表示面内で所定の方向に移動させるような演出効果を実現するテンプレートシナリオを採用することを検討している。
しかしながら、このように複数の画像を所定の方向に移動させた場合に両画像が重なり合ったときに、一方の画像が他方の画像の下に隠れて見えなくなってしまい、シナリオデザイナ等が予定する演出効果を損なってしまうといった問題点が考えられる。
【０００５】
そこで、本発明はこのような課題を有効に解決するために案出されたものであり、その目的は、演出効果が高いスライドショーを確実に実現することができる画像表示システム及び画像表示プログラム並びに画像表示方法を提供するものである。
【課題を解決するための手段】
【０００６】
〔発明１〕上記課題を解決するために発明１の画像表示システムは、
複数の画像を所定のテンプレートシナリオに従って同一の表示面上に同時に表示しながら移動させるようにした画像表示システムであって、
前記画像を前記テンプレートシナリオに沿って移動させたときに当該画像同士が重なり合うときがあるか否かを判断する画像重複判断手段と、当該画像重複判断手段で前記画像同士が重なり合うときがあると判断したときに、当該画像が重なり合わないように画像の再生経路を変更する再生経路変更手段と、当該再生経路変更手段で変更された画像の再生経路を前記テンプレートシナリオに反映させた新たなテンプレートシナリオを生成するテンプレートシナリオ生成手段と、当該テンプレートシナリオ生成手段で生成された新たなテンプレートシナリオに沿って前記画像を表示させる画像表示手段と、を備えたことを特徴とするものである。
【０００７】
このような構成によれば、画像重複判断手段が、再生表示すべき画像をテンプレートシナリオに沿って移動させたときに当該画像同士が重なり合うときがあるか否かを判断し、前記画像同士が重なり合うときがあると判断したときは、再生経路変更手段が当該画像が重なり合わないように画像の再生経路を変更することになる。そして、テンプレートシナリオ生成手段がこの変更後の画像の再生経路を反映した新たなテンプレートシナリオを生成し、画像表示手段がこの新たなテンプレートシナリオに沿って前記画像を表示させることになる。
【０００８】
これによって、変更後の画像の再生経路に沿って各画像がお互いを回避するように移動先へ再生表示移動するようになるため、一方の画像の一部あるいは全部が隠れるようなケースを確実に回避することができる。
この結果、各画像は移動前後は勿論、その移動中でも常にモニタ上に表示されることになるため、テンプレートシナリオデザイナ等が予定した演出効果を損なうことなく、高い演出効果を発揮することができる。
【０００９】
〔発明２〕発明２の画像表示システムは、
複数の画像を所定のテンプレートシナリオに従って同一の表示面上に同時に表示しながら移動させるようにした画像表示システムであって、
前記画像を前記テンプレートシナリオに沿って移動させたときに当該画像同士が重なり合うときがあるか否かを判断する画像重複判断手段と、当該画像重複判断手段で前記画像同士が重なり合うときがあると判断したときに、当該画像のうち上側に重なり合う画像に対して透明処理を施す画像効果生成手段と、当該画像効果生成手段による画像の透明処理を前記テンプレートシナリオに反映させた新たなテンプレートシナリオを生成するテンプレートシナリオ生成手段と、当該テンプレートシナリオ生成手段で生成された新たなテンプレートシナリオに沿って前記画像を表示させる画像表示手段と、を備えたことを特徴とするものである。
【００１０】
このような構成によれば、画像重複判断手段が、再生表示すべき画像をテンプレートシナリオに沿って移動させたときに当該画像同士が重なり合うときがあるか否かを判断し、前記画像同士が重なり合うときがあると判断したときは、画像効果生成手段が当該画像のうち上側に重なり合う画像に対して透明処理を施すことになる。そして、テンプレートシナリオ生成手段がこの透明処理の実行を反映した新たなテンプレートシナリオを生成し、画像表示手段がこの新たなテンプレートシナリオに沿って前記画像を表示させることになる。
【００１１】
これによって、両画像が重なり合ったときに上側に重なり合う画像に対して透明処理が実施されて下側に位置する画像が透けて見えるようになるため、一方の画像の一部あるいは全部が隠れるようなケースを確実に回避することができる。
この結果、発明１と同様に各画像は、移動前後は勿論、その移動中でも常にモニタ上に表示されることになるため、テンプレートシナリオデザイナ等が予定した演出効果を損なうことなく、高い演出効果を発揮することができる。
【００１２】
なお、ここでいう「画像の透明処理」とは、いわゆる「アルファブレンディング（Ａｌｐｈａ  Ｂｌｅｎｄｉｎｇ）」のことであり、画像の透明度であるアルファ値に従って色ガラスの向こうにある物体が透けて見えるように、奥に存在する物体を透かして見えるように映す画像処理の一つである。現在、最も簡単な透明処理は、地色と上にかぶせる色の中間色を表示するという方法であり、例えば、ＲＧＢ（２５６，２５６，２５６）に、ＲＧＢ（０，０，０）を重ねれば、ＲＧＢ（１２８，１２８，１２８）を表示することができる。エフェクトとして使用すると非常に見栄えがするので、最近のゲームではこれでもかとばかりに透明処理が行われている。透明処理が不可能だった頃は、代わりにメッシュによる処理が行われていた。
【００１３】
また、本発明でいう「透明」とは、上側に重なった画像が完全に透けてその形状や模様、色彩などが見えなくなる場合だけでなく、上側に重なった画像の形状や模様、色彩などがある程度認識できる程度の「半透明」をも含むものである（「半透明」の程度にもよるが、本発明はむしろこの「半透明」状態であることの方が望ましい）（以下の画像表示システム、画像表示プログラム、画像表示方法、並びに発明の実施の形態において同じである）。
【００１４】
〔発明３〕発明３の画像表示システムは、
複数の画像を所定のテンプレートシナリオに従って同一の表示面上に同時に表示しながら移動させるようにした画像表示システムであって、
前記各画像中の特定領域を抽出する特定領域抽出手段と、前記画像を前記テンプレートシナリオに沿って移動させたときに当該画像同士が重なり合うときがあるか否かを判断する画像重複判断手段と、当該画像重複判断手段で前記画像同士が重なり合うときがあると判断したときに、前記特定領域抽出手段で抽出された当該画像の特定領域が重なり合うときがあるか否かを判断する特定領域重複判断手段と、当該特定領域重複判断手段で当該画像の特定領域が重なり合うときがあると判断したときに、当該画像の注目領域が重なり合わないように画像の再生経路を変更する再生経路変更手段と、当該再生経路変更手段で変更された画像の再生経路を前記テンプレートシナリオに反映させた新たなテンプレートシナリオを生成するテンプレートシナリオ生成手段と、当該テンプレートシナリオ生成手段で生成された新たなテンプレートシナリオに沿って前記画像を表示させる画像表示手段と、を備えたことを特徴とするものである。
【００１５】
すなわち、本発明は、特定領域抽出手段によって各画像毎の特定領域を抽出し、その特定領域が他の画像と重なり合って隠れてしまうことがあるとき、発明１と同様な処理を実施するようにしたものである。
これによって、発明１と同様に変更後の画像の再生経路に沿って各画像がお互いを回避するように移動先へ再生表示移動するようになるため、各画像毎の特定領域の一部あるいは全部が隠れるようなケースを確実に回避することができる。
【００１６】
この結果、少なくとも各画像の特定領域は、移動前後は勿論、その移動中でも常にモニタ上に表示されることになるため、テンプレートシナリオデザイナ等が予定した演出効果を損なうことなく高い演出効果を発揮することができる。
なお、ここでいう各画像中の「特定領域」とは、後の発明６でいう「注目領域」と、発明７でいう「重要領域」と、発明８でいう「顔画像領域」を含む概念であるとする（以下の画像表示システム、画像表示プログラム、画像表示方法において同じである）。
【００１７】
〔発明４〕発明４の画像表示システムは、
複数の画像を所定のテンプレートシナリオに従って同一の表示面上に同時に表示しながら移動させるようにした画像表示システムであって、
前記各画像中の特定領域を抽出する特定領域抽出手段と、前記画像を前記テンプレートシナリオに沿って移動させたときに当該画像同士が重なり合うときがあるか否かを判断する画像重複判断手段と、当該画像重複判断手段で前記画像同士が重なり合うときがあると判断したときに、前記特定領域抽出手段で抽出された当該画像の特定領域が重なり合うときがあるか否かを判断する特定領域重複判断手段と、当該特定領域重複判断手段で前記特定領域が重なり合うときがあると判断したときに、当該画像のうち上側に重なり合う画像に対して透明処理を施す画像効果生成手段と、当該画像効果生成手段による画像の透明処理を前記テンプレートシナリオに反映させた新たなテンプレートシナリオを生成するテンプレートシナリオ生成手段と、当該テンプレートシナリオ生成手段で生成された新たなテンプレートシナリオに沿って前記画像を表示させる画像表示手段と、を備えたことを特徴とするものである。
【００１８】
すなわち、本発明は、特定領域抽出手段によって各画像毎の特定領域を抽出し、その特定領域が他の画像と重なり合って隠れてしまうことがあるとき、発明２と同様な処理を実施するようにしたものである。
これによって、発明２と同様に両画像が重なり合ったときに上側に重なり合う画像に対して透明処理が実施されて下側に位置する画像が透けて見えるようになるため、各画像毎の特定領域の一部あるいは全部が隠れるようなケースを確実に回避することができる。
この結果、発明３と同様に、少なくとも各画像の特定領域は、移動前後は勿論、その移動中でも常にモニタ上に表示されることになるため、テンプレートシナリオデザイナ等が予定した演出効果を損なうことなく高い演出効果を発揮することができる。
【００１９】
〔発明５〕発明５の画像表示システムは、
複数の画像を所定のテンプレートシナリオに従って同一の表示面上に同時に表示しながら移動させるようにした画像表示システムであって、
前記各画像中の特定領域を抽出する特定領域抽出手段と、前記画像を前記テンプレートシナリオに沿って移動させたときに当該画像同士が重なり合うときがあるか否かを判断する画像重複判断手段と、当該画像重複判断手段で前記画像同士が重なり合うときがあると判断したときに、前記特定領域抽出手段で抽出された当該画像の特定領域が重なり合うときがあるか否かを判断する特定領域重複判断手段と、当該特定領域重複判断手段で前記特定領域が重なり合うときがあると判断したときに、当該画像の一方あるいは両方のサイズを小さくする画像サイズ調整手段と、当該画像サイズ調整手段による画像サイズ調整処理を前記テンプレートシナリオに反映させた新たなテンプレートシナリオを生成するテンプレートシナリオ生成手段と、当該テンプレートシナリオ生成手段で生成された新たなテンプレートシナリオに沿って前記画像を表示させる画像表示手段と、を備えたことを特徴とするものである。
【００２０】
すなわち、本発明は、特定領域抽出手段によって各画像毎の特定領域を抽出し、その特定領域が他の画像と重なり合って隠れてしまうことがあるとき、画像サイズ調整手段によって当該画像の一方あるいは両方のサイズを小さくから前記発明と同様な処理を実施するようにしたものである。
これによって、両画像が重なり合ったときに画像の一方あるいは両方のサイズが縮小化されるようになるため、各画像毎の特定領域の一部あるいは全部が隠れるようなケースを容易に回避することができる。
この結果、発明３と同様に、少なくとも各画像の特定領域は、移動前後は勿論、その移動中でも常にモニタ上に表示されることになるため、テンプレートシナリオデザイナ等が予定した演出効果を損なうことなく高い演出効果を発揮することができる。
【００２１】
〔発明６〕発明６の画像表示システムは、
発明３〜５のいずれか１項に記載の画像表示システムにおいて、前記特定領域抽出手段によって抽出される前記画像中の特定領域は、当該画像の物理的特徴から算出される誘目度に基づいて抽出される注目領域であることを特徴とするものである。
【００２２】
これによって、スライドショーを観る者が生理的に自然に注目するような画像の所定の領域が隠れて見えなくなってしまうようなことがなくなるため、高い演出効果を発揮することができる。
ここで、「注目領域」とは、発明３でいう「特定領域」という概念に含まれる具体的な一態様であり、「本画像表示システムを用いてスライドショーを観る側が、前記重要領域の有無や位置にかかわらず、その画像毎に無意識に注目するであろうと思われる画像中の特定の領域」を意味するものである（以下の画像表示システム、画像表示プログラム、画像表示方法において同じである）。
【００２３】
また、本発明では「注目領域」の算出基準として「誘目度」を用いるようにしているが、この「誘目度」の算出方法は、例えば、「特開２００１−１２６０７０号公報（注目領域抽出装置及びそれを用いた自動構図決定装置）」等に詳細に開示されている。
ここでは、その概要について説明する。
「注目領域」の算出（以下、適宜「抽出」ともいう）のために、原画像の物理的特徴に従って「誘目度」を評価する。ここで、「誘目度」とは人間の主観にあったパラメータをいう。「注目領域」の算出は、評価結果から一番目立つ領域を「注目領域」として抽出する。つまり、「注目領域」の評価の際は、物理的特徴に従って人間の主観にあった評価をするので、人間の主観に適合した「注目領域」を抽出することができる。
【００２４】
例えば、物理的特徴が色の異質度を含む場合、各領域の色の違いに基づいて「誘目度」を評価することができる。
また、物理的特徴が色の異質度に加えて形の異質度、面積の異質度及びテクスチャ（模様）の異質度をさらに含むので、この４つの異質度の少なくとも一つの異質度に基づいて「誘目度」を評価すれば、原画像の特徴に応じて的確に「誘目度」を評価することができる。
【００２５】
また、色の３要素（色相、彩度、明度）についても評価する場合であれば、人間の主観による目立つ色（赤色）に近い領域を最も目立つ領域と評価することができる。
さらに、空間周波数や原画像における各領域の面積についても評価すれば、最も目立つ領域の評価をさらに的確に判断することができる。
そして、この「誘目度」の評価は、以下の手順により行う。
（１）先ず最初に対象となる原画像を領域分割する。この場合、原画像を図領域と絵領域とに分割する。この分割の方法には、１９９７ＩＥＥＥにおいてＷ．Ｙ．ＭａやＢ．Ｓ．Ｍａｎｊｕｎａｔｈらが「ＥｄｇｅＦｌｏｗ：Ａ  Ｆｒａｍｅｗｏｒｋ  ｏｆ  Ｂｏｕｎｄａｒｙ  Ｄｅｔｅｃｔｉｏｎ  ａｎｄ  Ｉｍａｇｅ  Ｓｅｇｍｅｎｔａｔｉｏｎ」に記載した“ｅｄｇｅｆｌｏｗ”に基づく境界検出方法が適用される。
（２）次に、このようにして分割した図領域を抽出し、領域の「誘目度」を評価する。
【００２６】
この「誘目度」の評価は、概略以下のようにして行う。
ａ．最初に各領域の「異質性誘目度」を求める。この場合、色の異質度、テクスチャの異質度、形の異質度及び面積の異質度を各々求め、それぞれに重み係数を付与して線形結合し、各領域の「異質性誘目度」を求める。
ｂ．次に各領域における「特徴誘目度」を求める。この場合、色の誘目度、空間周波数の誘目度、面積の誘目度を求め、それぞれに重み係数を付与して線形結合し、各領域の「特徴誘目度」を求める。
ｃ．そして最後に、各領域の「異質性誘目度」と「特徴誘目度」を加算し、特徴量統合値を求め、この特徴量統合値を所定のベータ関数により評価して、目的の「誘目度」を算出する。
【００２７】
〔発明７〕発明７の画像表示システムは、
発明３〜５のいずれか１項に記載の画像表示システムにおいて、前記特定領域抽出手段によって抽出される前記画像中の特定領域は、予め各画像毎に抽出された重要領域であることを特徴とするものである。
【００２８】
これによって、スライドショーを作成する側に画像毎に予め恣意的に決定した画像の所定の領域が隠れて見えなくなってしまうようなことがなくなるため、シナリオデザイナ等が予定する高い演出効果を確実に発揮することができる。
ここで、「重要領域」とは、発明３でいう「特定領域」という概念に含まれる具体的な一態様であり、「本画像表示システムを用いてスライドショーを作成する側が予め恣意的に重要と抽出した画像中の特定の領域」を意味するものである（以下の画像表示システム、画像表示プログラム、画像表示方法において同じである）。
【００２９】
〔発明８〕発明８の画像表示システムは、
発明３〜５のいずれか１項に記載の画像表示システムにおいて、前記特定領域抽出手段によって抽出される前記画像中の特定領域は、当該画像中に含まれる顔画像領域であることを特徴とするものである。
これによって、人が注目しやすい顔画像を占める領域が隠れて見えなくなってしまうようなことがなくなるため、高い演出効果を発揮することができる。
【００３０】
ここで、「顔画像領域」とは、発明３でいう「特定領域」という概念に含まれる具体的な一態様であり、「公知の顔画像判断手法等を用いて客観的に顔画像と認められる画像中の一定の領域」を意味するものである（以下の画像表示システム、画像表示プログラム、画像表示方法において同じである）。
また、画像中の「顔画像領域」の検出手法としては、公知の顔画像領域の検出手法をそのまま適用することができる。
【００３１】
例えば、非特許文献「Ｈ．Ａ．Ｒｏｗｌｅｙ、Ｓ．Ｂａｌｕｊａ，ａｎｄ  Ｔ．Ｋａｎａｄｅ、“Ｎｅｕｒａｌ  ｎｅｔｗｏｒｋ−ｂａｓｅｄ  ｆａｃｅ  ｄｅｔｅｃｔｉｏｎ”ＩＥＥＥ  Ｔｒａｎｓａｃｔｉｏｎｓ  ｏｎ  Ｐａｔｔｅｒｎ  Ａｎａｌｙｓｉｓａｎｄ  Ｍａｃｈｉｎｅ  Ｉｎｔｅｌｌｉｇｅｎｃｅ、ｖｏｌ．２０、ｎｏ．１、ｐｐ．２３−３８、１９９８」では、顔画像によりニューラルネットを訓練し、顔画像を検出する技術が開示されている。また、「特開平９−１７１５６０号公報」では、ある入力画像について、先ず、人物肌色領域の有無を判定し、人物肌色領域に対して自動的にモザイクサイズを決定し、候補領域をモザイク化し、人物顔辞書との距離を計算することにより、人物顔の有無を判定し、人物顔の切り出しを行うことによって背景等の影響による誤抽出を減らし、効率的に画像中から人間の顔を自動的に見つけるようにしている。
なお、この「顔画像領域」と、発明６，７でいう「注目領域」と「重要領域」とは、一般手には、一致するケースが多いものの原則的には互いに異なる概念であって並列的な関係である。
【００３２】
〔発明９〕発明９の画像表示プログラムは、
複数の画像を所定のテンプレートシナリオに従って同一の表示面上に同時に表示しながら移動させるようにした画像表示プログラムであって、
前記画像を前記テンプレートシナリオに沿って移動させたときに当該画像同士が重なり合うときがあるか否かを判断する画像重複判断手段と、当該画像重複判断手段で前記画像同士が重なり合うときがあると判断したときに、当該画像が重なり合わないように画像の再生経路を変更する再生経路変更手段と、当該再生経路変更手段で変更された画像の再生経路を前記テンプレートシナリオに反映させた新たなテンプレートシナリオを生成するテンプレートシナリオ生成手段と、当該テンプレートシナリオ生成手段で生成された新たなテンプレートシナリオに沿って前記画像を表示させる画像表示手段と、をコンピュータに機能させることを特徴とするものである。
【００３３】
これによって発明１と同様に、変更後の画像の再生経路に沿って各画像がお互いを回避するように移動先へ再生表示移動するようになるため、一方の画像の一部あるいは全部が隠れるようなケースを確実に回避することができる。
この結果、各画像は移動前後は勿論、その移動中でも常にモニタ上に表示されることになるため、テンプレートシナリオデザイナ等が予定した演出効果を損なうことなく、高い演出効果を発揮することができる。
【００３４】
また、パソコン（ＰＣ）等の汎用のコンピュータ（ハードウェア）を用いてソフトウェア上でその機能を実現することが可能となるため、専用の装置を作成して実現する場合に比べて経済的且つ容易に実現することができる。さらに、多くの場合、プログラムの一部の書き換えだけでその機能の変更、改良等のバージョンアップを容易に達成することが可能となる。
【００３５】
〔発明１０〕発明１０の画像表示プログラムは、
複数の画像を所定のテンプレートシナリオに従って同一の表示面上に同時に表示しながら移動させるようにした画像表示プログラムであって、
前記画像を前記テンプレートシナリオに沿って移動させたときに当該画像同士が重なり合うときがあるか否かを判断する画像重複判断手段と、当該画像重複判断手段で前記画像同士が重なり合うときがあると判断したときに、当該画像のうち上側に重なり合う画像に対して透明処理を施す画像効果生成手段と、当該画像効果生成手段による画像の透明処理を前記テンプレートシナリオに反映させた新たなテンプレートシナリオを生成するテンプレートシナリオ生成手段と、当該テンプレートシナリオ生成手段で生成された新たなテンプレートシナリオに沿って前記画像を表示させる画像表示手段と、をコンピュータに機能させることを特徴とするものである。
【００３６】
これによって、発明２と同様に、両画像が重なり合ったときに上側に重なり合う画像に対して透明処理が実施されて下側に位置する画像が透けて見えるようになるため、一方の画像の一部あるいは全部が隠れるようなケースを確実に回避することができる。
この結果、発明１と同様に各画像は、移動前後は勿論、その移動中でも常にモニタ上に表示されることになるため、テンプレートシナリオデザイナ等が予定した演出効果を損なうことなく、高い演出効果を発揮することができる。
【００３７】
また、発明９と同様に、パソコン（ＰＣ）等の汎用のコンピュータ（ハードウェア）を用いてソフトウェア上でその機能を実現することが可能となるため、専用の装置を作成して実現する場合に比べて経済的且つ容易に実現することができる。さらに、多くの場合、プログラムの一部の書き換えだけでその機能の変更、改良等のバージョンアップを容易に達成することが可能となる。
【００３８】
〔発明１１〕発明１１の画像表示プログラムは、
複数の画像を所定のテンプレートシナリオに従って同一の表示面上に同時に表示しながら移動させるようにした画像表示プログラムであって、
前記各画像中の特定領域を抽出する特定領域抽出手段と、前記画像を前記テンプレートシナリオに沿って移動させたときに当該画像同士が重なり合うときがあるか否かを判断する画像重複判断手段と、当該画像重複判断手段で前記画像同士が重なり合うときがあると判断したときに、前記特定領域抽出手段で抽出された当該画像の特定領域が重なり合うときがあるか否かを判断する特定領域重複判断手段と、当該特定領域重複判断手段で当該画像の特定領域が重なり合うときがあると判断したときに、当該画像の注目領域が重なり合わないように画像の再生経路を変更する再生経路変更手段と、当該再生経路変更手段で変更された画像の再生経路を前記テンプレートシナリオに反映させた新たなテンプレートシナリオを生成するテンプレートシナリオ生成手段と、当該テンプレートシナリオ生成手段で生成された新たなテンプレートシナリオに沿って前記画像を表示させる画像表示手段と、をコンピュータに機能させることを特徴とするものである。
【００３９】
これによって、発明３と同様に変更後の画像の再生経路に沿って各画像がお互いを回避するように移動先へ再生表示移動するようになるため、各画像毎の特定領域の一部あるいは全部が隠れるようなケースを確実に回避することができる。
この結果、少なくとも各画像の特定領域は、移動前後は勿論、その移動中でも常にモニタ上に表示されることになるため、テンプレートシナリオデザイナ等が予定した演出効果を損なうことなく高い演出効果を発揮することができる。
【００４０】
また、発明９と同様に、パソコン（ＰＣ）等の汎用のコンピュータ（ハードウェア）を用いてソフトウェア上でその機能を実現することが可能となるため、専用の装置を作成して実現する場合に比べて経済的且つ容易に実現することができる。さらに、多くの場合、プログラムの一部の書き換えだけでその機能の変更、改良等のバージョンアップを容易に達成することが可能となる。
【００４１】
〔発明１２〕発明１２の画像表示プログラムは、
複数の画像を所定のテンプレートシナリオに従って同一の表示面上に同時に表示しながら移動させるようにした画像表示プログラムであって、
前記各画像中の特定領域を抽出する特定領域抽出手段と、前記画像を前記テンプレートシナリオに沿って移動させたときに当該画像同士が重なり合うときがあるか否かを判断する画像重複判断手段と、当該画像重複判断手段で前記画像同士が重なり合うときがあると判断したときに、前記特定領域抽出手段で抽出された当該画像の特定領域が重なり合うか否かを判断する特定領域重複判断手段と、当該特定領域重複判断手段で前記画像同士が重なり合うときがあると判断したときに、当該画像のうち上側に重なり合う画像に対して透明処理を施す画像効果生成手段と、当該画像効果生成手段による画像の透明処理を前記テンプレートシナリオに反映させた新たなテンプレートシナリオを生成するテンプレートシナリオ生成手段と、当該テンプレートシナリオ生成手段で生成された新たなテンプレートシナリオに沿って前記画像を表示させる画像表示手段と、をコンピュータに機能させることを特徴とするものである。
【００４２】
これによって、発明４と同様に両画像が重なり合ったときに上側に重なり合う画像に対して透明処理が実施されて下側に位置する画像が透けて見えるようになるため、各画像毎の特定領域の一部あるいは全部が隠れるようなケースを確実に回避することができる。
この結果、発明３と同様に、少なくとも各画像の特定領域は、移動前後は勿論、その移動中でも常にモニタ上に表示されることになるため、テンプレートシナリオデザイナ等が予定した演出効果を損なうことなく高い演出効果を発揮することができる。
【００４３】
また、発明９と同様に、パソコン（ＰＣ）等の汎用のコンピュータ（ハードウェア）を用いてソフトウェア上でその機能を実現することが可能となるため、専用の装置を作成して実現する場合に比べて経済的且つ容易に実現することができる。さらに、多くの場合、プログラムの一部の書き換えだけでその機能の変更、改良等のバージョンアップを容易に達成することが可能となる。
【００４４】
〔発明１３〕発明１３の画像表示プログラムは、
複数の画像を所定のテンプレートシナリオに従って同一の表示面上に同時に表示しながら移動させるようにした画像表示プログラムであって、
前記各画像中の特定領域を抽出する特定領域抽出手段と、前記画像を前記テンプレートシナリオに沿って移動させたときに当該画像同士が重なり合うときがあるか否かを判断する画像重複判断手段と、当該画像重複判断手段で前記画像同士が重なり合うときがあると判断したときに、前記特定領域抽出手段で抽出された当該画像の特定領域が重なり合うか否かを判断する特定領域重複判断手段と、当該特定領域重複判断手段で前記特定領域が重なり合うときがあると判断したときに、当該画像の一方あるいは両方のサイズを小さくする画像サイズ調整手段と、当該画像サイズ調整手段による画像サイズ調整処理を前記テンプレートシナリオに反映させた新たなテンプレートシナリオを生成するテンプレートシナリオ生成手段と、当該テンプレートシナリオ生成手段で生成された新たなテンプレートシナリオに沿って前記画像を表示させる画像表示手段と、をコンピュータに機能させることを特徴とするものである。
【００４５】
これによって、発明５と同様に、両画像が重なり合ったときに画像の一方あるいは両方のサイズが縮小化されるようになるため、各画像毎の特定領域の一部あるいは全部が隠れるようなケースを容易に回避することができる。
この結果、発明３と同様に、少なくとも各画像の特定領域は、移動前後は勿論、その移動中でも常にモニタ上に表示されることになるため、テンプレートシナリオデザイナ等が予定した演出効果を損なうことなく高い演出効果を発揮することができる。
【００４６】
また、発明９と同様に、パソコン（ＰＣ）等の汎用のコンピュータ（ハードウェア）を用いてソフトウェア上でその機能を実現することが可能となるため、専用の装置を作成して実現する場合に比べて経済的且つ容易に実現することができる。さらに、多くの場合、プログラムの一部の書き換えだけでその機能の変更、改良等のバージョンアップを容易に達成することが可能となる。
【００４７】
〔発明１４〕発明１４の画像表示プログラムは、
発明１１〜１３のいずれか１項に記載の画像表示プログラムにおいて、前記特定領域抽出手段によって抽出される前記画像中の特定領域は、当該画像の物理的特徴から算出される誘目度に基づいて抽出される注目領域であることを特徴とするものである。
これによって、発明６と同様に、スライドショーを観る者が生理的に自然に注目するような画像の所定の領域が隠れて見えなくなってしまうようなことがなくなるため、高い演出効果を発揮することができる。
【００４８】
また、発明９と同様に、パソコン（ＰＣ）等の汎用のコンピュータ（ハードウェア）を用いてソフトウェア上でその機能を実現することが可能となるため、専用の装置を作成して実現する場合に比べて経済的且つ容易に実現することができる。さらに、多くの場合、プログラムの一部の書き換えだけでその機能の変更、改良等のバージョンアップを容易に達成することが可能となる。
【００４９】
〔発明１５〕発明１５の画像表示プログラムは、
発明１１〜１３のいずれか１項に記載の画像表示プログラムにおいて、前記特定領域抽出手段によって抽出される前記画像中の特定領域は、予め各画像毎に抽出された重要領域であることを特徴とするものである。
これによって、発明７と同様に、スライドショーを作成する側に画像毎に予め恣意的に決定した画像の所定の領域が隠れて見えなくなってしまうようなことがなくなるため、シナリオデザイナ等が予定する高い演出効果を確実に発揮することができる。
【００５０】
また、発明９と同様に、パソコン（ＰＣ）等の汎用のコンピュータ（ハードウェア）を用いてソフトウェア上でその機能を実現することが可能となるため、専用の装置を作成して実現する場合に比べて経済的且つ容易に実現することができる。さらに、多くの場合、プログラムの一部の書き換えだけでその機能の変更、改良等のバージョンアップを容易に達成することが可能となる。
【００５１】
〔発明１６〕発明１６の画像表示プログラムは、
発明１１〜１３のいずれか１項に記載の画像表示プログラムにおいて、前記特定領域抽出手段によって抽出される前記画像中の特定領域は、当該画像中に含まれる顔画像領域であることを特徴とするものである。
これによって、発明８と同様に、人が注目しやすい顔画像を占める領域が隠れて見えなくなってしまうようなことがなくなるため、高い演出効果を発揮することができる。
【００５２】
また、発明９と同様に、パソコン（ＰＣ）等の汎用のコンピュータ（ハードウェア）を用いてソフトウェア上でその機能を実現することが可能となるため、専用の装置を作成して実現する場合に比べて経済的且つ容易に実現することができる。さらに、多くの場合、プログラムの一部の書き換えだけでその機能の変更、改良等のバージョンアップを容易に達成することが可能となる。
【００５３】
〔発明１７〕発明１７の画像表示方法は、
複数の画像を所定のテンプレートシナリオに従って同一の表示面上に同時に表示しながら移動させるようにした画像表示方法であって、
前記画像を前記テンプレートシナリオに沿って移動させたときに当該画像同士が重なり合うときがあるか否かを判断し、前記画像同士が重なり合うときがあると判断したときには、当該画像が重なり合わないように前記画像の再生経路を変更してその再生経路を前記テンプレートシナリオに反映させてから、当該テンプレートシナリオに沿って前記画像を表示させるようにしたことを特徴とするものである。
【００５４】
これによって発明１と同様に、変更後の画像の再生経路に沿って各画像がお互いを回避するように移動先へ再生表示移動するようになるため、一方の画像の一部あるいは全部が隠れるようなケースを確実に回避することができる。
この結果、各画像は移動前後は勿論、その移動中でも常にモニタ上に表示されることになるため、テンプレートシナリオデザイナ等が予定した演出効果を損なうことなく、高い演出効果を発揮することができる。
【００５５】
〔発明１８〕発明１８の画像表示方法は、
複数の画像を所定のテンプレートシナリオに従って同一の表示面上に同時に表示しながら移動させるようにした画像表示方法であって、
前記画像を前記テンプレートシナリオに沿って移動させたときに当該画像同士が重なり合うときがあるか否かを判断し、前記画像同士が重なり合うときがあると判断したときには、当該画像のうち上側に重なり合う画像に対して透明化する処理を前記テンプレートシナリオに反映させてから、当該テンプレートシナリオに沿って前記画像を表示させるようにしたことを特徴とするものである。
【００５６】
これによって、発明２と同様に、両画像が重なり合ったときに上側に重なり合う画像に対して透明処理が実施されて下側に位置する画像が透けて見えるようになるため、一方の画像の一部あるいは全部が隠れるようなケースを確実に回避することができる。
この結果、発明１と同様に各画像は、移動前後は勿論、その移動中でも常にモニタ上に表示されることになるため、テンプレートシナリオデザイナ等が予定した演出効果を損なうことなく、高い演出効果を発揮することができる。
【００５７】
〔発明１９〕発明１９の画像表示方法は、
複数の画像を所定のテンプレートシナリオに従って同一の表示面上に同時に表示しながら移動させるようにした画像表示方法であって、
予め前記各画像中の特定領域を抽出しておき、前記画像を前記テンプレートシナリオに沿って移動させたときに当該画像の前記特定領域が重なり合うときがあるか否かを判断し、前記特定領域が重なり合うときがあると判断したときには、当該特定領域が重なり合わないように画像の再生経路を変更してその再生経路を前記テンプレートシナリオに反映させてから、当該テンプレートシナリオに沿って前記画像を表示させるようにしたことを特徴とする画像表示方法。
【００５８】
これによって、発明３と同様に変更後の画像の再生経路に沿って各画像がお互いを回避するように移動先へ再生表示移動するようになるため、各画像毎の特定領域の一部あるいは全部が隠れるようなケースを確実に回避することができる。
この結果、少なくとも各画像の特定領域は、移動前後は勿論、その移動中でも常にモニタ上に表示されることになるため、テンプレートシナリオデザイナ等が予定した演出効果を損なうことなく高い演出効果を発揮することができる。
【００５９】
〔発明２０〕発明２０の画像表示方法は、
複数の画像を所定のテンプレートシナリオに従って同一の表示面上に同時に表示しながら移動させるようにした画像表示方法であって、
予め前記各画像中の特定領域を抽出しておき、前記画像を前記テンプレートシナリオに沿って移動させたときに当該画像の前記特定領域が重なり合うときがあるか否かを判断し、前記特定領域が重なり合うときがあると判断したときには、当該画像のうち上側に重なり合う画像に対して透明化する処理を前記テンプレートシナリオに反映させてから、当該テンプレートシナリオに沿って前記画像を表示させるようにしたことを特徴とするものである。
【００６０】
これによって、発明４と同様に両画像が重なり合ったときに上側に重なり合う画像に対して透明処理が実施されて下側に位置する画像が透けて見えるようになるため、各画像毎の特定領域の一部あるいは全部が隠れるようなケースを確実に回避することができる。
この結果、発明３と同様に、少なくとも各画像の特定領域は、移動前後は勿論、その移動中でも常にモニタ上に表示されることになるため、テンプレートシナリオデザイナ等が予定した演出効果を損なうことなく高い演出効果を発揮することができる。
【００６１】
〔発明２１〕発明２１の画像表示方法は、
複数の画像を所定のテンプレートシナリオに従って同一の表示面上に同時に表示しながら移動させるようにした画像表示方法であって、
予め前記各画像中の特定領域を抽出しておき、前記画像を前記テンプレートシナリオに沿って移動させたときに当該画像の前記特定領域が重なり合うときがあるか否かを判断し、前記特定領域が重なり合うときがあると判断したときには、当該画像のうちの一方又は両方のサイズを小さくする処理を前記テンプレートシナリオに反映させてから、当該テンプレートシナリオに沿って前記画像を表示させるようにしたことを特徴とする画ものである。
【００６２】
これによって、発明５と同様に、両画像が重なり合ったときに画像の一方あるいは両方のサイズが縮小化されるようになるため、各画像毎の特定領域の一部あるいは全部が隠れるようなケースを容易に回避することができる。
この結果、発明３と同様に、少なくとも各画像の特定領域は、移動前後は勿論、その移動中でも常にモニタ上に表示されることになるため、テンプレートシナリオデザイナ等が予定した演出効果を損なうことなく高い演出効果を発揮することができる。
【００６３】
〔発明２２〕発明２２の画像表示方法は、
発明１９〜２１のいずれか１項に記載の画像表示方法において、前記特定領域抽出手段によって抽出される前記画像中の特定領域は、当該画像の物理的特徴から算出される誘目度に基づいて抽出される注目領域であることを特徴とするものである。
これによって、発明６と同様に、スライドショーを観る者が生理的に自然に注目するような画像の所定の領域が隠れて見えなくなってしまうようなことがなくなるため、高い演出効果を発揮することができる。
【００６４】
〔発明２３〕発明２３の画像表示方法は、
発明１９〜２１のいずれか１項に記載の画像表示方法において、前記特定領域抽出手段によって抽出される前記画像中の特定領域は、予め各画像毎に抽出された重要領域であることを特徴とするものである。
発明７と同様に、スライドショーを作成する側に画像毎に予め恣意的に決定した画像の所定の領域が隠れて見えなくなってしまうようなことがなくなるため、シナリオデザイナ等が予定する高い演出効果を確実に発揮することができる。
【００６５】
〔発明２４〕発明２４の画像表示方法は、
発明１９〜２１のいずれか１項に記載の画像表示方法において、前記特定領域抽出手段によって抽出される前記画像中の特定領域は、当該画像中に含まれる顔画像領域であることを特徴とするものである。
これによって、発明８と同様に、人が注目しやすい顔画像を占める領域が隠れて見えなくなってしまうようなことがなくなるため、高い演出効果を発揮することができる。
【発明を実施するための最良の形態】
【００６６】
以下、本発明を実施するための最良の形態を添付図面を参照しながら詳述する。
図１は、前述したようなスライドショーを実現するための本発明に係る画像表示システム１００の第１の実施の形態を示したものである。
図示するように、この画像表示システム１００は、画像読取手段１０と、テンプレートシナリオ記憶手段１２と、画像重複判断手段１４と、再生経路変更手段１６と、テンプレートシナリオ生成手段１８と、画像合成・再生手段２０と、画像表示手段２２と、画像記憶手段２４と、特定領域抽出手段３０、特定領域重複判断手段３８とから主に構成されている。
【００６７】
先ず、画像読取手段１０は、本システム１００で表示対象候補となる画像Ｇを読み取って取り込む機能を提供するものであり、例えば、画像入力素子であるＣＣＤ（Ｃｈａｒｇｅ  Ｃｏｕｐｌｅｄ  Ｄｅｖｉｃｅ：電荷結合素子）や、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像センサを利用して、Ｒ（赤）、Ｇ（緑）、Ｂ（青）のそれぞれの画素データからなるデジタル画像データとして読み取って取り込むようになっている。
【００６８】
具体的には、デジタルスチルカメラやデジタルビデオカメラ等のＣＣＤ、ＣＭＯＳカメラやビジコンカメラ、イメージスキャナ、ドラムスキャナ等である。
なお、この画像読取手段１０には、画像記憶手段２４が備えられており、読み込んだ画像データをハードディスクドライブ装置（ＨＤＤ）等の記憶装置やＤＶＤ−ＲＯＭ等の記憶媒体等に適宜読み出し保存可能となっている。また、取り込み対象画像ＧがＬＡＮやインターネット等のネットワークＮや、ＣＤ−ＲＯＭ、ＤＶＤ−ＲＯＭ、半導体メモリ等の記憶媒体等を介してデジタル画像データとして直接取り込まれる場合には、この画像読取手段１０は、不要となるか、あるいはＤＣＥ（Ｄａｔａ  Ｃｉｒｃｕｉｔ  Ｔｅｒｍｉｎａｔｉｎｇ  Ｅｑｕｉｐｍｅｎｔ）やＣＣＵ（Ｃｏｍｍｕｎｉｃａｔｉｏｎ  Ｃｏｎｔｒｏｌ  Ｕｎｉｔ）、ＣＣＰ（Ｃｏｍｍｕｎｉｃａｔｉｏｎ  Ｃｏｎｔｒｏｌ  Ｐｒｏｃｅｓｓｏｒ）等の通信手段や、ＣＤ−ＲＯＭドライブ、ＤＶＤ−ＲＯＭドライブ、メモリリーダ、ＵＳＢインターフェース（Ｉ／Ｆ）等のデジタルデータ取込手段として機能することになる。
【００６９】
次に、テンプレートシナリオ記憶手段１２は、この画像読取手段１０で読み取った画像Ｇの表示方法や演出方法等を規定するテンプレートシナリオＳを記憶する機能を提供するものであり、図５〜図７に例示するように「選択する画像」や「画像の再生位置」、「画像の再生表示サイズ」、「画像効果」等が記述してある。例えば、図５に示すテンプレートシナリオＳ１では、「選択（表示）する画像」として、「撮影日時の若い順に２枚選択」するようになっており、また、「画像の再生表示位置」として、「選択された２つの画像Ａ、Ｂのうち、画像Ａをモニタ左下から右上に再生表示位置を移動させ、もう一つの画像Ｂをモニタの右上から左下に再生表示位置を移動させる」等といったようなシナリオが記述されている。また、「画像の再生表示サイズ」として、それぞれの画像Ａ、Ｂを「モニタ面積の１／６」で再生表示させるようになっており、「画像効果」は「なし」となっている。また、図６に示すテンプレートシナリオＳ２では、「画像効果」として、選択された画像のうち「画像Ａを、モニタ中付近で画像Ｂの注目力域と重なった部分を透明にする（アルファブレンディング）」といったシナリオが記述されている。
【００７０】
画像重複判断手段１４は、テンプレートシナリオ記憶手段１２で選択された画像ＧをそのテンプレートシナリオＳに沿って移動させたときに、その画像Ｇ同士が重なり合うときがあるか否かを判断する機能を提供するようになっている。例えば、図５に示すテンプレートシナリオＳに沿って２つの画像をそれぞれ移動させた場合、図１０に示すように、その表示モニタＭの中央部分で両画像Ａ、Ｂが重なり合うときには、その旨と共に重なり合う位置及び重なり具合をその再生位置の経路と画像サイズ等とから算出するようになっている。
【００７１】
再生経路変更手段１６は、この画像重複判断手段１４で選択された画像同士が重なり合うときがあると判断したときに、その画像が重なり合わないように各画像の再生位置の経路を変更する機能を提供するようになっている。例えば、図５に示すテンプレートシナリオＳに沿って２つの画像をそれぞれ移動させたときに、図１０に示すように、その表示モニタＭの中央部分で両画像Ａ、Ｂが重なり合うときがあると判断された場合には、図１１に示すように両画像Ａ、Ｂが重なり合わないように各画像Ａ、Ｂの再生位置の経路を変更するようになっている。
【００７２】
テンプレートシナリオ生成手段１８は、この再生経路変更手段１６で変更された画像の再生経路を元のテンプレートシナリオＳに反映させた新たなテンプレートシナリオＳを生成する機能を提供するようになっている。例えば、図５に示すテンプレートシナリオＳに沿って２つの画像をそれぞれ移動させたときに、図１０に示すように、その表示モニタＭの中央部分で両画像Ａ、Ｂが重なり合うときがあると判断された場合には、図８に示すように、元のテンプレートシナリオＳ１中に対して両画像Ａ、Ｂの再生位置の経路を変更した新たなテンプレートシナリオＳ４を生成するようになっている。
【００７３】
画像合成・再生手段２０は、前記画像読取手段１０で読み取った画像と、前記テンプレートシナリオ記憶手段１２から選択されたオリジナルのテンプレートシナリオＳ、又は前記テンプレートシナリオ生成手段１８で生成された新たなテンプレートシナリオＳとを合成し、そのテンプレートシナリオＳに沿って複数の画像を同時に再生する機能を提供するようになっている。
【００７４】
画像表示手段２２は、前記画像合成・再生手段２０で得られたデジタル画像信号をＡ／Ｄ変換してアナログ画像信号に変換する等してＣＲＴや液晶モニタ等の画像表示モニタＭ上に視覚的に表示する機能を提供するようになっている。
特定領域抽出手段３０は、前記各画像中の特定領域を抽出する機能を提供するものであり、さらにこの特定領域抽出手段３０は、注目領域抽出手段３２と、重要領域抽出手段３４と、顔画像領域抽出手段３６とから構成されている。
【００７５】
すなわち、この注目領域抽出手段３２は、各画像中の「特定領域」として、前述したように「誘目度」を基準として算出した「注目領域」を抽出するようにしたものであり、重要領域抽出手段３４は、各画像中の「特定領域」として、前述したように画像あるいはスライドショーを作成する側が各画像毎に恣意的に決定した「重要領域」を抽出するようにしたものである。例えば、図３は、「一輪の花」がほぼ中央部分に写っている原画像Ｂに対して注目領域抽出手段３２によってその「特定領域（注目領域）」を抽出した例を示したものであり、その原画像Ｂの「特定領域（注目領域）」が同図（ｂ）に示すように矩形状に抽出されるようになっている。
【００７６】
また、顔画像領域抽出手段３６は、各画像中の「特定領域」として、前述したように人物の顔画像と認識される領域を「顔画像領域」を抽出するようにしたものである。例えば、図４は、「人物の正面向きの顔」がほぼ中央部分に写っている原画像Ｃに対してこの顔画像領域抽出手段３６によってその「特定領域（注目領域）」を抽出した例を示したものであり、その原画像Ｃの「特定領域（注目領域）」が同図（ｂ）に示すように矩形状に抽出されるようになっている。
【００７７】
特定領域重複判断手段３８は、このようにして抽出された各画像中の「特定領域」の一部あるいは全部が、前記テンプレートシナリオＳに沿って移動させたときに、他の画像の一部、あるいは他の画像中の「特定領域」の一部あるいは全部と重なり合うときがあるか否かを判断する機能を提供するようになっている。
なお、このような構成した本発明の画像表示システム１００を構成する画像読取手段１０やテンプレートシナリオ記憶手段１２、画像重複判断手段１４、再生経路変更手段１６、テンプレートシナリオ生成手段１８、画像合成・再生手段２０、画像表示手段２２、画像記憶手段２４、特定領域抽出手段３０、特定領域重複判断手段３８等の各手段は、実際には、図２に示すようにＣＰＵやＲＡＭ等からなるハードウェアと、図３等に示すようなアルゴリズムを記述した専用のコンピュータプログラム（ソフトウェア）とからなるパソコン（ＰＣ）等のコンピュータシステムによって実現されるようになっている。
【００７８】
すなわち、この画像表示システム１００を実現するためのハードウェア構成は、図２に示すように、各種制御や演算処理を担う中央演算処理装置であるＣＰＵ（Ｃｅｎｔｒａｌ  Ｐｒｏｃｅｓｓｉｎｇ  Ｕｎｉｔ）４０と、主記憶装置（Ｍａｉｎ  Ｓｔｏｒａｇｅ）に用いられるＲＡＭ（Ｒａｎｄｏｍ  Ａｃｃｅｓｓ  Ｍｅｍｏｒｙ）４１と、読み出し専用の記憶装置であるＲＯＭ（Ｒｅａｄ  Ｏｎｌｙ  Ｍｅｍｏｒｙ）４２と、ハードディスクドライブ装置（ＨＤＤ）や半導体メモリ等の補助記憶装置（Ｓｅｃｏｎｄａｒｙ  Ｓｔｏｒａｇｅ）４３、及びモニタ（ＬＣＤ（液晶ディスプレイ）やＣＲＴ（陰極線管））等からなる出力装置４４、イメージスキャナやキーボード、マウス、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像センサ等からなる入力装置４５と、これらの入出力インターフェース（Ｉ／Ｆ）４６等との間を、ＰＣＩ（Ｐｅｒｉｐｈｅｒａｌ  Ｃｏｍｐｏｎｅｎｔ  Ｉｎｔｅｒｃｏｎｎｅｃｔ）バスやＩＳＡ（Ｉｎｄｕｓｔｒｉａｌ  Ｓｔａｎｄａｒｄ  Ａｒｃｈｉｔｅｃｔｕｒｅ；アイサ）バス等からなるプロセッサバス、メモリバス、システムバス、入出力バス等の各種内外バス４７によってバス接続したものである。
【００７９】
そして、例えば、ＣＤ−ＲＯＭやＤＶＤ−ＲＯＭ、フレキシブルディスク（ＦＤ）等の記憶媒体、あるいは通信ネットワーク（ＬＡＮ、ＷＡＮ、インターネット等）Ｎを介して供給される各種制御用プログラムやデータを補助記憶装置４３等にインストールすると共にそのプログラムやデータを必要に応じて主記憶装置４１にロードし、その主記憶装置４１にロードされたプログラムに従ってＣＰＵ４０が各種リソースを駆使して所定の制御及び演算処理を行い、その処理結果（処理データ）をバス４７を介して出力装置４４に出力して表示すると共に、そのデータを必要に応じて補助記憶装置４３によって形成されるデータベースに適宜記憶、保存（更新）処理するようにしたものである。従って、本発明の画像表示システムは、記憶媒体等を介して供給されるソフトウェアによる情報処理がこれらハードウェア資源を用いて具体的に実現されるようになっている。
【００８０】
次に、このような構成をした本発明の画像表示システム１００を用いた画像表示方法（スライドショー）の一例を主に図９のフローチャート図を参照しながら説明する。
図９は、本発明の画像表示方法（スライドショー）に関する処理の流れの一例を示したものである。
先ず、最初のステップＳ１００、Ｓ１０２にて、画像読取手段１０によって表示する画像を選択すると共に、テンプレートシナリオ記憶手段１２によって利用するテンプレートシナリオＳを選択する。ここでは、このステップＳ１００にて選択された画像が図１０に示すような矩形状をした２つの画像Ａ、Ｂであって、Ｓ１０２にて選択されたテンプレートシナリオＳが、図５に示すようなテンプレートシナリオＳ１であるとする。
【００８１】
そして、このテンプレートシナリオＳ１には、前述したように「選択する画像」や「画像の再生位置」、「画像の再生表示サイズ」、「画像効果」等が記述してある。例えば、図５に示すテンプレートシナリオＳ１では、「選択（表示）する画像」として、「撮影日時の若い順に２枚選択」するようになっており、また、「画像の再生表示位置」として、「選択された２つの画像Ａ、Ｂのうち、画像Ａをモニタ左下から右上に再生表示位置を移動させ、もう一つの画像Ｂをモニタの右上から左下に再生表示位置を移動させる」ようなシナリオが記述されている。さらに、「画像の再生表示サイズ」として、両画像Ａ、Ｂともに「モニタＭ面積の１／６」と、「画像効果」は「なし」等といったようなシナリオが細かく記述されている。
【００８２】
なお、この他に、画像合成などによる効果やＢＧＭ等の音響効果に関する記述がなされていても良く、また、画像の選択方法としては、撮影日時順の他、ランダムに選択したり、観る側の好みに応じて任意に選択したり、さらに同時に選択する画像を画像の数をさらに増やしても良い。
次に、このようにして再生表示する画像Ａ、Ｂ及び利用するテンプレートシナリオＳ１が選択されたならば、次のステップＳ１０４に移行して特定領域抽出手段３０のうち、注目領域抽出手段３２、重要領域抽出手段３４、顔画像領域抽出手段３６のいずれかを用いて、各画像Ａ、Ｂについてそれぞれ特定領域を抽出する。本実施の形態では、図１０に示すように、画像Ｂについては、そのほぼ中央部分に矩形状の特定領域が抽出されたが、画像Ａについては、特定領域が抽出されたかったものとする。なお、この特定領域抽出手段３０の注目領域抽出手段３２、重要領域抽出手段３４、顔画像領域抽出手段３６の選択については、この特定領域抽出手段３０が各画像毎に自動的に、あるいはこのスライドショーを観る側が予め任意に指定することで選択されることになる。
【００８３】
次に、このようにして各画像Ａ、Ｂについてそれぞれ特定領域が抽出されたならば、次のステップＳ１０６及びＳ１０８に移行し、特定領域重複判断手段３８によってその両画像Ａ、ＢをそのテンプレートシナリオＳ１に記述された「画像の再生位置」に従って移動させたときに、図１０（ｂ）に示すようにその画像Ｂ側の「特定領域」の一部が画像Ａと重なり合って隠れてしまうときがあるか否かを判断する。
【００８４】
このステップＳ１０８における判断処理の結果、画像Ｂ側の「特定領域」の一部が画像Ａと重なり合って隠れてしまうときがない（Ｎｏ）と判断したときは、ステップＳ１１８側に移行してそのテンプレートシナリオＳ１に沿って、選択された画像Ａ、Ｂを再生表示することになるが、画像Ｂ側の「特定領域」の一部が画像Ａと重なり合って隠れてしまうときがある（Ｙｅｓ）と判断したときは、ステップＳ１１０側に移行し、再生経路変更手段１６によって画像Ａ、Ｂのいずれか、あるいは両方の再生移動経路を変更する。なお、この再生移動経路は各画像毎に予め複数用意され、そのうちの一つがオリジナルのテンプレートシナリオＳ１に記述されているものとする。
【００８５】
その後、このようにして画像Ａ、Ｂのいずれか、あるいは両方の再生移動経路を変更したならば、次のステップＳ１１２に移行して、変更後の再生移動経路で画像を再生移動させた場合に、画像Ｂ側の「特定領域」の一部が画像Ａと重なり合って隠れてしまうときがあるか否かを再度判断し、隠れてしまうときがある（Ｙｅｓ）と判断したときは、再度ステップＳ１１０に戻って別の再生移動経路を選択することになるが、隠れてしまうときがない（Ｎｏ）と判断したときは、ステップＳ１１４側に移行して、テンプレートシナリオ生成手段１８によって、その変更後の画像の再生移動経路をオリジナルのテンプレートシナリオＳに反映させた新たなテンプレートシナリオＳを生成する。
【００８６】
そして、このようにして変更後の画像の再生移動経路を記述した新たなテンプレートシナリオＳを生成したならば、次のステップＳ１１６に移行し、画像合成・再生手段２０によって、その新たなテンプレートシナリオＳと先に選択された画像Ｇとを合成してから、画像表示手段２２によって、その合成後の画像をモニタＭ上に表示して処理を終了することになる。
【００８７】
図８は、このように変更後の画像の再生移動経路をテンプレートシナリオＳ１に反映させた新たなテンプレートシナリオＳ４の一例を示したものであり、その「再生位置」の記述として画像Ａについては、「モニタ左下から左上を経由して右上に再生位置を移動」と、画像Ｂについては、「モニタ右上から右下を経由して左下に再生位置を移動」としたものである。
【００８８】
そして、この新たなテンプレートシナリオＳ４に従って画像Ａ、Ｂを再生移動させたのが、図１１のモニタ画像である。
同図（ａ）〜（ｃ）に示すように、モニタＭの左下及び右上にそれぞれ配置された画像Ａ、Ｂは、図中点線矢印に示す方向にそれぞれ再生表示しながら移動する。
すなわち、画像Ａは、変更された再生経路に沿ってモニタＭの左下の位置から左上方向に移動した後、その位置からモニタＭの右上の位置に移動し、また、「特定領域」が抽出された一方の画像Ｂは、モニタＭの右上の位置から右下方向に移動した後、その位置からモニタＭの左下の位置に移動することになる。
【００８９】
従って、同図（ｂ）に示すように、画像Ａと画像Ｂはお互いを回避するように移動先へ画像を再生表示しながら移動するようになるため、仮に両画像Ａと画像Ｂの一部が重なり合っても、画像Ｂの「特定領域」の一部あるいは全部が隠れるようなケースを確実に回避することができる。
これによって、画像Ｂの「特定領域」は移動前後は勿論、その移動中でも常にモニタＭ上に表示されることになるため、テンプレートシナリオデザイナ等が予定した演出効果を損なうことなく、常に高い演出効果を発揮することができる。
【００９０】
なお、本実施の形態では、各画像毎に、観るものが注視するであろう「注目領域」や、作成する側が恣意的に決定した「重要領域」等からなる「特定領域」を抽出し、その「特定領域」が他の画像と重なって隠れてしまうときがあるか否かで、画像Ｇの再生表示移動経路を変更するようにしたが、この「特定領域」の有無にかかわらず、選択された画像の一部でも重なり合って隠れるようなときがあるか否かを基準として画像Ｇの再生表示移動経路を変更処理を行うようにしても良い。このようなケースでは、各画像Ｇ毎に「特定領域」を抽出する処理が不要となるため、システムの処理負荷が軽減されて、より高速な処理が実行可能となる等といった効果を発揮することができる。
【００９１】
また、表示する画像のサイズが大きい等の理由によって前記両画像Ａ、Ｂの位置を入れ替えるような再生表示移動経路では、「特定領域」が隠れるのを回避できない等の場合は、例えば、図７に示すように、その移動先も変更するような新たな再生表示移動経路を採用するようにしても良い。
また、再生表示移動経路の変更は、必ずしも全ての画像に対して行う必要はなく、例えば、各画像間に重要度を設定しておき、重要度の低い画像の再生表示移動経路のみを変更するようにしても良い。
【００９２】
次に、図１２〜図１７は、本発明の第２及び第３の実施の形態を示したものである。
先ず、本発明に係る第２の実施の形態は、画像処理システム１００の構成として前記再生経路変更手段１６に代えて画像効果生成手段２６を用いたものである。
従って、本実施の形態に係る画像処理システム１００の構成は、基本的には、前記実施の形態と同様であり、この画像効果生成手段２６を除く、画像読取手段１０、テンプレートシナリオ記憶手段１２、画像重複判断手段１４、テンプレートシナリオ生成手段１８、画像合成・再生手段２０、画像表示手段２２、画像記憶手段２４、特定領域抽出手段３０、特定領域重複判断手段３８は、いずれもその構成・機能は、前記実施の形態のそれとほぼ同じものとなっている。
【００９３】
この画像効果生成手段２６は、選択された画像中の特定領域の重なりを判断するための特定領域重複判断手段１４でその特定領域が重なり合うときがあると判断したときに、当該画像のうち、上側に重なり合う画像に対して透明化処理を施して、通常であれば、隠れてしまうような画像を透かして表示するような機能を提供するようになっている。具体的には、前述したように、ゲーム等の分野で既に多く採用されている、いわゆるアルファブレンディングといわれる公知の画像処理の一つを利用することで容易に実現することができる。
【００９４】
また、本実施の形態に係るテンプレートシナリオ生成手段１８にあっては、前記実施の形態のそれとはやや異なり、この画像効果生成手段２６による画像の透明処理を前記テンプレートシナリオＳ１に反映させた新たなテンプレートシナリオＳを生成する機能を提供するようになっている。
そして、図１３に示すように、本実施の形態は、最初のステップＳ２００、Ｓ２０２において、表示する画像とテンプレートシナリオとを選択した後、次のステップＳ２０４に移行して、選択された画像の特定領域を抽出してから、ステップＳ２０６にてその画像をテンプレートシナリオに沿って再生表示移動させ、ステップＳ２０８にてその画像の抽出された特定領域が他の画像と重なり合って隠れるときがあるか否かを判断する。
【００９５】
この結果、抽出された特定領域が他の画像と重なり合って隠れるときがない（Ｎｏ）と判断したときは、ステップＳ２１６側に移行して、元のテンプレートシナリオに従って選択された画像を再生表示させることになるが、抽出された特定領域が他の画像Ｇと重なり合って隠れるときがある（Ｙｅｓ）と判断したときは、ステップＳ２１０側に移行し、前記画像効果生成手段２６によって、重なり合ったときに上側に位置する画像Ｇに対して所定の透明化処理を実行及びその詳細を決定する。
【００９６】
そして、このようにして所定の画像Ｇに対して所定の透明化処理の実行を決定したならば、次のステップＳ２１２に移行して画像の透明化処理を記述した新たなテンプレートシナリオを生成し、ステップＳ２１４にてその新たに生成したテンプレートシナリオに従って画像を再生表示して処理を終了することになる。
図６は、図５に示すオリジナルのテンプレートシナリオＳ１を元にして新たに生成されたテンプレートシナリオＳ３の一例を示したものであり、「画像効果」として元のテンプレートシナリオＳ１では「なし」となっていたものが、新たに生成されたテンプレートシナリオＳ３では、その「画像効果」の欄に、画像Ａに対して「モニタ中付近で画像Ｂの注目領域（特定領域）と重なった部分を透明にする（アルファブレンディング）」とのシナリオが記述されたものである。
【００９７】
そして、この新たなテンプレートシナリオＳ２に従って画像Ｃ、Ｂを再生移動させたのが、図１４のモニタ画像である。
同図（ａ）に示すように、モニタＭの左下及び右上にそれぞれ配置された画像Ｃ、Ｂは、図中点線矢印に示す方向にそれぞれ再生表示しながら移動する。
すなわち、既に「特定領域」が抽出された画像Ｃは、モニタＭの左下の位置からモニタＭの右上の位置まで直線状に移動し、また、同じく既に「特定領域」が抽出された一方の画像Ｂは、モニタＭの右上の位置からモニタＭの左下の位置まで直線状に移動することになる。
【００９８】
従って、同図（ｂ）に示すように、画像Ｃと画像Ｂは、モニタＭの中程の位置で画像Ｂが画像Ｃ上に位置するようにお互いが重なり合うことになるが、この直前で画像Ｂに対して透明化処理が実施されて、画像Ｂが透明化状態となるため、画像Ｃの特定領域が画像Ｂの下に隠れてしまうときが発生することがなくなる。
これによって、画像Ｃの「特定領域」は移動前後は勿論、その移動中でも常にモニタＭ上に表示されることになるため、テンプレートシナリオデザイナ等が予定した演出効果を損なうことなく、常に高い演出効果を発揮することができる。
【００９９】
なお、この画像効果生成手段２６も、実際には前述したように、図２に示すようなＣＰＵやＲＯＭ等からなるハードウェアと専用のプログラムよって前記各手段と共にコンピュータシステム上で実現されるようになっている。
また、前記実施の形態と同様に各画像毎に「特定領域」を抽出し、その「特定領域」が他の画像と重なって隠れてしまうときに、画像Ｇの透明化処理をするようにしたが、この「特定領域」の有無にかかわらず、選択された画像の一部でも重なり合って隠れるようなときがあるか否かを基準として画像Ｇの再生表示移動経路を変更処理を行うようにすれば、各画像Ｇ毎に「特定領域」を抽出する処理が不要となるため、システムの処理負荷が軽減されて、より高速な処理が実行可能となる。
【０１００】
次に、本発明に係る第３の実施の形態は、画像処理システム１００の構成として図１５に示すように、前記再生経路変更手段１６や画像効果生成手段２６に代えて、画像サイズ調整手段２８を用いたものである。
従って、本実施の形態に係る画像処理システム１００の構成は、基本的には、前記第１及び第２の実施の形態と同様であり、この画像サイズ調整手段２８を除く、画像読取手段１０、テンプレートシナリオ記憶手段１２、画像重複判断手段１４、テンプレートシナリオ生成手段１８、画像合成・再生手段２０、画像表示手段２２、画像記憶手段２４、特定領域抽出手段３０、特定領域重複判断手段３８は、いずれもその構成・機能は、前記第１及び第２の実施の形態のそれとほぼ同じものとなっている。
【０１０１】
この画像サイズ調整手段２８は、選択された画像中の特定領域の重なりを判断するための特定領域重複判断手段１４でその特定領域が重なり合うときがあると判断したときに、その画像の一方あるいは両方のサイズを元のサイズよりも小さくするような機能を提供するようになっている。
また、本実施の形態に係るテンプレートシナリオ生成手段１８にあっては、前記第１の実施の形態のそれとはやや異なり、この画像サイズ調整手段２８による画像のサイズ変更処理を前記テンプレートシナリオＳ１に反映させた新たなテンプレートシナリオＳを生成する機能を提供するようになっている。
【０１０２】
そして、図１６に示すように、本実施の形態は、最初のステップＳ３００、Ｓ３０２において、表示する画像とテンプレートシナリオとを選択した後、次のステップＳ３０４に移行して選択された画像の特定領域を抽出してから、ステップＳ３０６にてその画像をテンプレートシナリオに沿って再生表示移動させ、ステップＳ３０８にてその画像の抽出された特定領域が他の画像と重なり合って隠れるときがあるか否かを判断する。
【０１０３】
この結果、抽出された特定領域が他の画像Ｇと重なり合って隠れるときがない（Ｎｏ）と判断したときは、ステップＳ３２２側に移行して、元のテンプレートシナリオＳに従って選択された画像Ｇを再生表示させることになるが、抽出された特定領域が他の画像Ｇと重なり合って隠れるときがある（Ｙｅｓ）と判断したときは、ステップＳ３１０側に移行し、前記画像サイズ調整手段２８によって重なり合ったときに縮小化処理する画像Ｇ及びその縮小化率、処理位置等を決定する。
【０１０４】
そして、このようにして所定の画像Ｇに対して所定の縮小化処理の実行を決定したならば、次のステップＳ３１２に移行して、縮小化処理後の画像Ｇの特定領域が隠れるときがあるか否かを判断し、隠れるときがない（Ｎｏ）と判断したときは、ステップＳ３２０側に移行してその変更後の画像サイズを元のオリジナルのテンプレートシナリオに反映させた新たなテンプレートシナリオを作成してからステップＳ３１８に移行し、その新たなテンプレートシナリオに沿って画像を再生することになる。
【０１０５】
これに対し、ステップＳ３１２において画像縮小化処理を行っても特定領域が隠れるときがある（Ｙｅｓ）と判断したときは、ステップＳ３１４に移行してその画像の移動経路を変更してから次のステップＳ３１６に移行し、ここで変更後の画像サイズ及びその画像の変更後の再生表示移動経路を元のオリジナルのテンプレートシナリオに反映させた新たなテンプレートシナリオを作成してからステップＳ３１８に移行して、その新たなテンプレートシナリオに沿って画像を再生することで処理を終了することになる。
【０１０６】
そして、このような新たなテンプレートシナリオＳに従って前記画像Ａ、Ｂを再生移動させたのが、図１７のモニタ画像である。
同図（ａ）、（ｃ）に示すように、モニタＭの左下及び右上にそれぞれ配置された画像Ａ、Ｂは、図中点線矢印に示す方向にそれぞれ再生表示しながら移動する。
すなわち、既に「特定領域」が抽出された画像Ｃは、モニタＭの左下の位置からモニタＭの右上の位置まで直線状に移動し、また、同じく既に「特定領域」が抽出された一方の画像Ｂは、モニタＭの右上の位置からモニタＭの左下の位置まで直線状に移動することになる。
【０１０７】
従って、そのままの画像サイズでその移動経路に従って画像Ａ及び画像Ｂを移動させると、モニタＭの中程の位置で画像Ａが画像Ｂ上に位置するようにお互いが重なり合うことになるが、この直前で同図（ｂ）に示すように画像Ａ、及びＢの両方に対してサイズ縮小化処理が行われて両画像のサイズが縮小するようになるため、画像Ｂの特定領域が画像Ａの下に隠れてしまうときが発生することがなくなる。
【０１０８】
これによって、画像Ｂの「特定領域」は、移動前後は勿論、その移動中でも常にモニタＭ上に表示されることになるため、テンプレートシナリオデザイナ等が予定した演出効果を損なうことなく、常に高い演出効果を発揮することができる。
なお、この画像サイズ調整手段２８も、実際には前述したように、図２に示すようなＣＰＵやＲＯＭ等からなるハードウェアと専用のプログラムよって前記各手段と共にコンピュータシステム上で実現されるようになっている。
【０１０９】
また、前記実施の形態と同様に各画像毎に「特定領域」を抽出し、その「特定領域」が他の画像と重なって隠れてしまうときに、画像サイズの縮小化処理をするようにしたが、この「特定領域」の有無にかかわらず、選択された画像の一部でも重なり合って隠れるようなときがあるか否かを基準として画像サイズの縮小化処理を行うようにすれば、各画像Ｇ毎に「特定領域」を抽出する処理が不要となるため、システムの処理負荷を軽減されて、より高速な処理が実行可能となる。
【０１１０】
また、両画像Ａ、Ｂの移動経路が近接していたり、重なっている場合であって画像サイズを縮小化だけでは、重なりを完全に回避できない場合には、前記第１の実施の形態のように再生経路変更手段１６や画像効果生成手段２６等を併用して用いるようにしてすれば、確実に画像の重なり合いを回避することができる。
【図面の簡単な説明】
【０１１１】
【図１】本発明に係る画像表示システムの第１の実施の形態を示すブロック図である。
【図２】本発明の画像表示システムを実現化するハードウェア構成を示す図である。
【図３】原画像Ｂに対して注目領域に基づく特定領域を抽出した例を示す図である。
【図４】原画像Ｃに対して顔画像領域に基づく特定領域を抽出した例を示す図である。
【図５】オリジナルのテンプレートシナリオの一例を示す図である。
【図６】オリジナルのテンプレートシナリオの一例を示す図である。
【図７】変更後のテンプレートシナリオの一例を示す図である。
【図８】変更後のテンプレートシナリオの一例を示す図である。
【図９】本発明の画像表示方法の第１の実施の形態を示すフローチャート図である。
【図１０】画像表示方法の係るモニタ画像を示す図である。
【図１１】画像表示方法の第１の実施の形態に係るモニタ画像を示す図である。
【図１２】本発明に係る画像表示システムの第２実施形態を示すブロック図である。
【図１３】本発明の画像表示方法の第２の実施の形態を示すフローチャート図である。
【図１４】画像表示方法の第２実施の形態に係るモニタ画像を示す図である。
【図１５】本発明に係る画像表示システムの第３実施形態を示すブロック図である。
【図１６】本発明の画像表示方法の第２の実施の形態を示すフローチャート図である。
【図１７】画像表示方法の第２実施の形態に係るモニタ画像を示す図である。
【符号の説明】
【０１１２】
１００…画像処理システム、１０…画像読取手段、１２…テンプレートシナリオ記憶手段、１４…画像重複判断手段、１６…再生経路変更手段、１８…テンプレートシナリオ生成手段、２０…画像合成・再生手段、２２…画像表示手段、２４…画像記憶手段、２６…画像効果生成手段、２８…画像サイズ調整手段、３０…特定領域抽出手段、３２…注目領域抽出手段、３４…重要領域抽出手段、３６…顔画像領域抽出手段、３８…特定領域重複判断手段、４０…ＣＰＵ、４１…ＲＡＭ、４２…ＲＯＭ、４３…補助記憶部、４４…出力装置、４５…入力装置、４６…インターフェース、４７…バス、Ａ、Ｂ、Ｃ、Ｇ…画像、Ｍ…モニタ、Ｓ、Ｓ１、Ｓ２、Ｓ３、Ｓ４…テンプレートシナリオ。
【図１】
2005274887.tif 000003
【図２】
2005274887.tif 000004
【図３】
2005274887.tif 000005
【図４】
2005274887.tif 000006
【図５】
2005274887.tif 000007
【図６】
2005274887.tif 000008
【図７】
2005274887.tif 000009
【図８】
2005274887.tif 000010
【図９】
2005274887.tif 000011
【図１０】
2005274887.tif 000012
【図１１】
2005274887.tif 000013
【図１２】
2005274887.tif 000014
【図１３】
2005274887.tif 000015
【図１４】
2005274887.tif 000016
【図１５】
2005274887.tif 000017
【図１６】
2005274887.tif 000018
【図１７】
2005274887.tif 000019